【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
ドナー部位及び被移植部位に位置決めされた採取パターンと；
少なくとも１つのスカルペットを含むスカルペットアレイを含むデバイスであって、前記少なくとも１つのスカルペットが、前記採取パターンと揃うように構成され、前記少なくとも１つのスカルペットが、前記ドナー部位において皮膚ピクセルを切開して前記被移植部位において皮膚欠損を生成するように構成される、デバイスと；
前記ドナー部位において前記切開された皮膚ピクセルを獲得し、前記被移植部位への移行及び前記被移植部位への前記切開された皮膚ピクセルの適用の間、前記切開された皮膚ピクセルの相対位置決めを維持するように構成される粘着性基材と、
を含むシステム。
【請求項２】
前記採取パターンが、前記ドナー部位及び前記被移植部位の少なくとも一方の皮膚表面上に位置する、請求項１に記載のシステム。
【請求項３】
前記採取パターンが、前記ドナー部位及び前記被移植部位の少なくとも一方の皮膚表面上のインジケーターを含む、請求項２に記載のシステム。
【請求項４】
前記スカルペットアレイが、前記デバイスに取り外し可能に連結される、請求項１に記載のシステム。
【請求項５】
前記スカルペットアレイが使い捨て可能である、請求項１に記載のシステム。
【請求項６】
前記スカルペットアレイの各スカルペットの形状が楕円形である、請求項１に記載のシステム。
【請求項７】
前記スカルペットアレイの各スカルペットの形状が円形である、請求項１に記載のシステム。
【請求項８】
前記スカルペットアレイの各スカルペットの形状が半円形である、請求項１に記載のシステム。
【請求項９】
前記スカルペットアレイの各スカルペットの形状が、四角形、長方形、及び平面のうちの１つである、請求項１に記載のシステム。
【請求項１０】
前記少なくとも１つのスカルペットの各スカルペットが、テーパー状の表面を含む、請求項１に記載のシステム。
【請求項１１】
前記複数のスカルペットの各スカルペットが、少なくとも１つの先鋭な表面を含む、請求項１に記載のシステム。
【請求項１２】
前記複数のスカルペットの各スカルペットが、少なくとも１つの針を含む、請求項１に記載のシステム。
【請求項１３】
前記少なくとも１つの針が、複数の先端を含む少なくとも１つの針を含む、請求項１２に記載のシステム。
【請求項１４】
前記スカルペットアレイが、穿孔力、衝突力、回転力、及び振動のうちの少なくとも１つを使用して、前記切開された皮膚ピクセルを生成する、請求項１に記載のシステム。
【請求項１５】
前記スカルペットアレイの少なくとも１つのスカルペットが貫通孔を含む、請求項１に記載のシステム。
【請求項１６】
前記スカルペットアレイの各スカルペットの少なくとも１つの直径寸法は、およそ０．５ミリメートルから４．０ミリメートルの範囲である、請求項１に記載のシステム。
【請求項１７】
前記粘着性基材が柔軟な基材を含む、請求項１に記載のシステム。
【請求項１８】
前記粘着性基材が半多孔性膜を含む、請求項１に記載のシステム。
【請求項１９】
前記デバイス上の前記少なくとも１つのスカルペットが、前記採取パターンに対応して配列される、請求項１に記載のシステム。
【請求項２０】
前記デバイス上の前記少なくとも１つのスカルペットが、前記採取パターンと揃うように構成される、請求項１９に記載のシステム。
【請求項２１】
前記スカルペットアレイが、前記採取パターンに従って前記ドナー部位に直接適用され、前記皮膚ピクセルが切開される、請求項２０に記載のシステム。
【請求項２２】
前記粘着性基材が、前記移行及び前記被移植部位への前記切開された皮膚ピクセルの前記適用の間、前記切開された皮膚ピクセルを前記採取パターンに従って維持するように構成される、請求項２１に記載のシステム。
【請求項２３】
前記スカルペットアレイが、前記採取パターンに従って前記被移植部位に直接適用され、前記皮膚欠損が生成される、請求項２０に記載のシステム。
【請求項２４】
前記皮膚欠損が、前記採取パターンに従って生成される、請求項２３に記載のシステム。
【請求項２５】
前記採取パターンに対応する配置で配列された穿孔を含むガイドプレートを含む、請求項１９に記載のシステム。
【請求項２６】
前記ガイドプレートが、前記ドナー部位及び前記被移植部位の一方の皮膚表面上に直接位置決めされる、請求項２５に記載のシステム。
【請求項２７】
前記ガイドプレートが、前記切開された皮膚ピクセルを押し出すように構成される、請求項２５に記載のシステム。
【請求項２８】
前記皮膚ピクセルが、適用される荷重に対応して前記穿孔を通って押し出される、請求項２７に記載のシステム。
【請求項２９】
前記皮膚ピクセルが、適用される荷重に対応して前記切開された皮膚表面を通って押し出される、請求項２７に記載のシステム。
【請求項３０】
前記ドナー部位の前記切開された皮膚ピクセル及び前記被移植部位の前記皮膚欠損が、前記配置で配列される、請求項２５に記載のシステム。
【請求項３１】
前記ドナー部位の前記切開された皮膚ピクセルが第一配置を含み、前記被移植部位の前記皮膚欠損が第二配置を含み、前記第一配置と前記第二配置とが異なっている、請求項２５に記載のシステム。
【請求項３２】
前記デバイス上の前記少なくとも１つのスカルペットが、前記ガイドプレートの前記穿孔の少なくとも１つのセットに揃うように構成される、請求項２５に記載のシステム。
【請求項３３】
前記スカルペットアレイが、穿孔の少なくとも１つのセットを通って前記ドナー部位に直接適用され、前記皮膚ピクセルが切開される、請求項２０に記載のシステム。
【請求項３４】
前記粘着性基材が、前記被移植部位への前記切開された皮膚ピクセルの移行及び適用の間、前記切開された皮膚ピクセルを配置に維持するように構成される、請求項３３に記載のシステム。
【請求項３５】
前記スカルペットアレイが、前記穿孔の少なくとも１つのセットを通って前記被移植部位に直接適用され、前記皮膚欠損が生成される、請求項２５に記載のシステム。
【請求項３６】
前記皮膚欠損が、前記配置に従って生成される、請求項３５に記載のシステム。
【請求項３７】
前記ガイドプレートが、粘着性、剛性、半剛性、形状適合性、非形状適合性、及び非変形性のうちの少なくとも１つである、請求項２５に記載のシステム。
【請求項３８】
前記ガイドプレートが、金属材料、プラスチック材料、高分子材料、膜状材料のうちの少なくとも１つを含む、請求項２５に記載のシステム。
【請求項３９】
前記ガイドプレートが、前記ドナー部位及び前記被移植部位の少なくとも一方の皮膚表面に荷重を伝達するように構成される、請求項２５に記載のシステム。
【請求項４０】
前記スカルペットアレイが、前記ドナー部位を含む下の皮膚表面に荷重を伝達するように構成され、前記皮膚ピクセルが、前記荷重の適用によって周囲的に切開される、請求項１に記載のシステム。
【請求項４１】
切断部材を含む、請求項１に記載のシステム。
【請求項４２】
前記切開された皮膚ピクセルが押し出され、前記押し出された皮膚ピクセルが、前記切断部材によって横切される、請求項４１に記載のシステム。
【請求項４３】
前記粘着性基材が前記ドナー部位から引き上げられ、前記切開された皮膚ピクセルの底部が、前記切断部材によって横切される、請求項４２に記載のシステム。
【請求項４４】
前記切断部材が、プレートフレームに連結される、請求項４１に記載のシステム。
【請求項４５】
前記プレートフレームがガイドプレートに連結される、請求項４４に記載のシステム。
【請求項４６】
前記粘着性基材が、ガイドプレート及び前記プレートフレームの少なくとも一方に連結される、請求項４４に記載のシステム。
【請求項４７】
前記切開された皮膚ピクセルが、前記粘着性基材から前記被移植部位における前記皮膚欠損に直接適用される、請求項１に記載のシステム。
【請求項４８】
前記切開された皮膚ピクセルが、前記被移植部位における前記皮膚欠損に位置合わせされる、請求項４７に記載のシステム。
【請求項４９】
各切開された皮膚ピクセルが、前記被移植部位における対応する皮膚欠損中に挿入される、請求項４８に記載のシステム。
【請求項５０】
前記皮膚ピクセルが切開された後に第一包帯が前記ドナー部位に適用され、前記第一包帯が、前記ドナー部位を閉じかつ前記ドナー部位の前記皮膚欠損が閉じられる方向を制御する、請求項１に記載のシステム。
【請求項５１】
前記被移植部位に前記切開された皮膚ピクセルを適用した後に前記被移植部位に第二包帯が適用され、前記第二包帯が前記被移植部位において力を生じる、請求項１に記載のシステム。
【請求項５２】
前記切開された皮膚ピクセルが毛包を含む、請求項１に記載のシステム。
【請求項５３】
前記皮膚欠損が、前記被移植部位に挿入された前記切開された皮膚ピクセルにおける新生血管形成を誘発するように構成される、請求項１に記載のシステム。
【請求項５４】
前記皮膚欠損が、前記被移植部位に挿入された前記切開された皮膚ピクセルおける創傷治癒反応を誘発するように構成される、請求項１に記載のシステム。
【請求項５５】
ある配置で配列されたインジケーターを含む採取パターンであって、標的部位及び被移植部位に位置決めされるように構成される、採取パターンと；
前記配置で配列された複数のスカルペットを含むスカルペットアレイを含むデバイスであって、前記複数のスカルペットが、前記インジケーターの少なくとも１つのセットに揃うように構成され、前記複数のスカルペットが、標的部位において皮膚ピクセルを切開して前記被移植部位において皮膚欠損を生成するように構成される、デバイスと；
前記標的部位において前記切開された皮膚ピクセルを獲得し、前記被移植部位への前記切開された皮膚ピクセルの適用の間、前記配置を維持するように構成される粘着性基材と、
を含むシステム。
【請求項５６】
ある配置で配列されたインジケーターを含む採取パターンであって、標的部位及び被移植部位に位置決めされるように構成される、採取パターンと；
前記配置で配列された複数のスカルペットを含むスカルペットアレイを含むデバイスであって、前記複数のスカルペットが、前記インジケーターの少なくとも１つのセットに揃うように構成され、前記複数のスカルペットが、標的部位において皮膚ピクセルを切開して前記被移植部位において皮膚欠損を生成するように構成される、デバイスと、
を含むシステム。